(57)【要約】【課題】床根太の横揺れを抑制することができる建物の床構造を提供する。【解決手段】建物１０における一階部分１１と二階部分１２との間の階間部分１７には、二階部分１２の床部を構成する複数の床ユニット２０が設けられている。床ユニット２０は、所定間隔をおいて平行に配置された一対の床根太２６と、各床根太２６の上面に跨って設けられた床下地材２７と、各床根太２６の下面に跨って設けられた天井材２８とを備え、これらが一体化されることにより構成されている。床ユニット２０において、各床根太２６は互いのリップ溝を向き合わせて配置されている。各床ユニット２０は、床根太２６の長手方向と直交する方向に横並びに設けられ、これにより床部が構成されている。【選択図】図１
2011047192.tif 000002
【特許請求の範囲】
【請求項１】
建物の床部を構成する建物の床構造であって、
溝形鋼により形成されるとともにウェブ又は溝開口を向き合わせて配置された一対の床根太と、前記各床根太の上面に跨って設けられた床材とを有してなる床ユニットを複数備え、
前記複数の各床ユニットが前記床根太と直交する方向に横並びに配置されることにより前記床部が構成されていることを特徴とする建物の床構造。
【請求項２】
上下に隣接する上階部と下階部とを有してなる建物の上下階間の床部を構成する建物の床構造であって、
前記床ユニットは、前記各床根太の下面に跨って設けられた下階部の天井材を備えていることを特徴とする請求項１に記載の建物の床構造。
【請求項３】
隣り合う床ユニットの隣接する床根太同士が互いに溝開口又はウェブを向き合わせて離間して配置されており、それら床根太同士の間には転び止めが設けられていることを特徴とする請求項１又は２に記載の建物の床構造。
【発明の詳細な説明】
【技術分野】
【０００１】
本発明は、建物の床構造に関する。
【背景技術】
【０００２】
建物の床構造としては、複数の外枠材により枠状に形成された外周枠と、相対する外枠材の間に互いに平行に架け渡された複数の床根太とから構成される床枠組の上方に床材が敷設されたものがよく用いられている（例えば特許文献１）。
【０００３】
例えば、枠組壁工法により構築されるスチールハウス等の建物では、上記床根太としてリップ付溝形鋼（いわゆるＣ形鋼）が一般に用いられ、床根太の両端部がそれぞれ相対する外枠材に根太受け金物により連結されている。この連結構造を図９に示す。図９に示すように、根太受け金物６１は、鋼板を折り曲げ形成されてなる接合部材であり、外枠材６２の内側面に当接されて固定される固定部６１ａと、該固定部６１ａから垂直に外枠材６２から起立する向きに形成され上側に開口された溝部を有する根太受け部６１ｂとを備えている。床根太６３は、根太受け金物６１の根太受け部６１ｂの溝部に挿入されており、その挿入状態においてウェブが根太受け部６１ｂにビス等で固定されている。これにより、床根太６３は、根太受け金物６１を介して外枠材６２に対し連結されている。
【先行技術文献】
【特許文献】
【０００４】
【特許文献１】特許第３９９０４９２号公報
【発明の概要】
【発明が解決しようとする課題】
【０００５】
ところで、上記の連結構成において、居住者が床材上を歩行等することで床根太６３の上フランジに下向きの荷重が作用すると、その反作用として床根太６３のウェブと根太受け金物６１（根太受け部６１ｂ）との連結部において上向きの力（反力）が発生する。この場合、床根太６３の上フランジに作用する荷重の作用線と上記連結部において発生する反力の作用線とは水平方向に離間する位置関係にあるため、床根太６３には上フランジが下方に沈む側への回転力（モーメント）が生じる。このとき、床根太６３のウェブには横向きの力が、詳細にはフランジとは反対の側に向けた力が作用するため、結果として床根太６３には横揺れが発生することが想定される。つまり、従来の床構造では、床根太６３の横揺れを抑制するという点で未だ改善の余地がある。
【０００６】
なお、上記の問題は、床根太がリップ付溝形鋼により形成されている場合にのみ生じる問題ではなく、床根太が軽溝形鋼等その他の溝形鋼により形成されている場合においても同様に生じうる問題である。
【０００７】
本発明は、上記事情に鑑みてなされたものであり、床根太の横揺れを抑制することができる建物の床構造を提供することを主たる目的とするものである。
【課題を解決するための手段】
【０００８】
上記課題を解決すべく、第１の発明の建物の床構造は、建物の床部を構成する建物の床構造であって、溝形鋼により形成されるとともにウェブ又は溝開口を向き合わせて配置された一対の床根太と、前記各床根太の上面に跨って設けられた床材とを有してなる床ユニットを複数備え、前記複数の各床ユニットが前記床根太と直交する方向に横並びに配置されることにより前記床部が構成されていることを特徴とする。
【０００９】
上述したように、居住者等が床材上を歩く等して床根太の上フランジに下向きの荷重が作用すると、床根太のウェブにはフランジとは反対側に向けた横向きの力が発生し、その結果床根太がその向きに横揺れする。つまり、床根太は特定の向きに横揺れする。そこで、本発明では、この点に着目し、溝開口又はウェブを向き合わせて配置した一対の床根太とこれら各床根太上に跨って設けた床材とを備える床ユニットを、床根太と直交する方向に複数配置することにより床部を構成している。この場合、各床ユニットにおいて、一対の床根太の横揺れする向きが反対になるため、これら各床根太に連結される等して跨る床材を介して各床根太の横揺れを相殺させることができる。これにより、床根太の横揺れを抑制することができる。
【００１０】
第２の発明の建物の床構造は、第１の発明において、上下に隣接する上階部と下階部とを有してなる建物の上下階間の床部を構成する建物の床構造であって、前記床ユニットは、前記各床根太の下面に跨って設けられた下階部の天井材を備えていることを特徴とする。
【００１１】
本発明によれば、床ユニットには、下階部の天井材が各床根太の下面に跨って設けられているため、各床根太の横揺れを床材のみならず天井材を介しても相殺させることができる。これにより、床根太の横揺れをさらに抑制する効果が期待できる。
【００１２】
第３の発明の建物の床構造は、第１又は第２の発明において、隣り合う床ユニットの隣接する床根太同士が互いに溝開口又はウェブを向き合わせて離間して配置されており、それら床根太同士の間には転び止めが設けられていることを特徴とする。
【００１３】
本発明によれば、隣り合う床ユニットの隣接する床根太同士が互いに溝開口又はウェブを向き合わせて離間して配置されているため、これら床根太の横揺れする向きが反対となる。そして、これらの床根太の間には転び止めが設けられているため、各床根太の横揺れを転び止めを介して相殺させることができる。これにより、床根太の横揺れをより一層抑制することができる。
【００１４】
第４の発明の建物の床構造は、上下に隣接する上階部と下階部とを有してなる建物の上下階間を仕切る建物の床構造であって、床材を支持する複数の床根太と、相対する一対の横架材の間において当該横架材の内側面に前記床根太の端部を連結する根太受け金物と、を備え、前記各床根太は、Ｃ形鋼により形成されており、前記根太受け金物は、前記床根太のウェブが固定されるウェブ固定部と、前記床根太の上下のリップが固定されるリップ固定部とを備えていることを特徴とする。
【００１５】
本発明によれば、床根太は、ウェブが根太受け金物のウェブ固定部に固定され、上下のリップが根太受け金物のリップ固定部に固定されている。ここで、居住者等が上階部の床材上を歩く等して床根太の上フランジに下向きの荷重が作用した場合、その荷重を根太受け金物に固定されたウェブ及び上リップにより支持することができる。そのため、床根太に上フランジが下方へ沈む側の回転力（モーメント）が発生するのを防止することができ、ひいてはウェブに横向きの力が作用するのを抑制することができる。よって、床根太の横揺れを抑制することができる。
【００１６】
第５の発明の建物の床構造は、第４の発明において、隣り合う床根太同士が互いに溝開口又はウェブを向き合わせて設けられていることを特徴とする。
【００１７】
上述したように、居住者等が上階部の床材上を歩く等して床根太の上フランジに下向きの荷重が作用すると、床根太のウェブにはフランジとは反対側に向けた横向きの力が発生し、その結果床根太がその向きに横揺れする。そこで、本発明では、この点に着目し、隣り合う床根太同士を、互いに溝開口又はウェブを向き合わせて配置し、これにより隣り合う床根太の横揺れする向きが反対となるようにした。この場合、各床根太に連結されている上階部の床材等を介して各床根太の横揺れを相殺させることができるため、各床根太の横揺れをさらに抑制する効果が期待できる。
【００１８】
第６の発明の建物の床構造は、第５の発明において、隣り合う床根太同士の間には、転び止めが設けられていることを特徴とする。
【００１９】
本発明によれば、溝開口又はウェブ同士を向き合わせて設けられた隣り合う床根太同士が転び止めにより繋がれている。そのため、隣り合う各床根太がそれぞれ反対側に向けて横揺れした場合には、各床根太の横揺れを転び止めを介して相殺させることができる。これにより、床根太の横揺れをより一層抑制することができる。
【００２０】
第７の発明の建物の床構造は、第４の発明において、前記転び止めは、前記隣り合う床根太の対向するウェブ同士の間に設けられていることを特徴とする。
【００２１】
本発明によれば、隣り合う床根太の対向するウェブ同士の間に転び止めが設けられているため、居住者等が上階部の床材上を歩く等して各床根太の上フランジに下向きの荷重が作用した場合、転び止めには各床根太のウェブにより圧縮方向の力が作用する。そのため、溝開口を向き合わせて隣り合う床根太の間に転び止めが設けられる場合とは異なり、床根太と転び止めとの連結強度に依存せず床根太の横揺れを抑制することができる。
【図面の簡単な説明】
【００２２】
【図１】第１の実施形態における建物の階間部分周辺の構成を示す縦断面図。
【図２】床ユニットの構成を示す斜視図。
【図３】床ユニットの設置構成を示す縦断面図。
【図４】第２の実施形態における建物の階間部分周辺の構成を示す縦断面図。
【図５】（ａ）が床パネルを示す平面図、（ｂ）が床根太の並び状態を示す図。
【図６】床パネルの構成を示す縦断面図。
【図７】転び止めを示す斜視図。
【図８】別例における床ユニットの構成を示す断面図。
【図９】従来における床根太と外枠材との連結構成を示す図。
【発明を実施するための形態】
【００２３】
〔第１の実施形態〕
以下に、本発明を具体化した一実施の形態について図面を参照しつつ説明する。本実施形態では、建物として枠組壁工法により構築されたスチールハウスについて具体化している。なお、図１は建物における階間部分周辺の構成を示す縦断面図である。
【００２４】
図１に示すように、本実施形態における建物１０は、上階部としての一階部分１１と下階部としての二階部分１２とを有してなる二階建ての建物である。建物１０の一階部分１１及び二階部分１２には、屋外面を形成する外壁パネル１３，１４がそれぞれ設置されており、外壁パネル１３，１４の屋内側に屋内面を形成する内壁材１５，１６がそれぞれ設置されている。
【００２５】
外壁パネル１３，１４は、いずれも屋外面を形成する外壁板３１，３２と、外壁板３１，３２の裏面側（屋内面側）に固定されたフレーム３３，３４とを備えて構成されている。外壁板３１，３２は、例えば耐候性に優れたコンクリートやセラミック等の素材で形成されている。フレーム３３，３４は、例えばスチール等の高剛性金属からなり、略コ字状断面を有する長尺状のフレーム材が矩形枠状に連結されることにより形成されている。
【００２６】
一階部分１１と二階部分１２とは、階間部分１７によって区画されている。階間部分１７は、一階天井面及び二階床面、それらの間にある各部材によって構成されている。階間部分１７における外周部（詳細には上階外壁板３２の裏側）には、一対の側根太２４と一対の端根太２５（図１では一方のみを図示）とが設けられている。これら各根太２４，２５は共に集成材等の角材よりなり、枠状（四角形状）に連結されている。各根太２４，２５により構成された枠体の内側には、二階部分１２の床部を構成する複数の床ユニット２０が設けられている。本実施形態では、これら複数の床ユニット２０により床部が構成されている点に特徴を有しており、以下その詳細について図２及び図３に基づいて説明する。なお、図２は床ユニットの構成を示す斜視図であり、図３は床ユニットの設置構成を示す断面図である。
【００２７】
図２に示すように、床ユニット２０は、所定間隔をおいて平行に配置された一対の床根太２６と、各床根太２６の上面に跨って設けられた床下地材２７と、各床根太２６の下面に跨って設けられた天井材２８とを備え、これらが一体化されることにより構成されている。床ユニット２０は、全体としては床根太２６の長手方向に沿って長尺状に形成されている。床ユニット２０は、工場においてあらかじめ製造されるようになっており、その後施工現場に運搬され建物１０に設置されるようになっている。
【００２８】
床根太２６は、Ｃ形鋼（リップ溝形鋼）により形成されており、板面が上下方向に延びるウェブ２６ａと、ウェブ２６ａの上下両端部からそれぞれ側方へ延びる上フランジ２６ｂ及び下フランジ２６ｃと、それら各フランジ２６ｂ，２６ｃの先端部から互いに向き合う側に延びる上リップ２６ｄ及び下リップ２６ｅとを有している。上リップ２６ｄと下リップ２６ｅとの間にはリップ溝２９が形成されており、一対の各床根太２６は互いのリップ溝２９を向き合わせて配置されている。
【００２９】
床下地材２７は、短冊状の板材よりなり、例えば合板やパーティクルボード等により構成されている。床下地材２７は、その幅（短手方向の長さ）が一対の床根太２６のウェブ２６ａ間距離とほぼ同じ寸法に設定されている。床下地材２７は、その幅方向両端部がそれぞれ床根太２６のウェブ２６ａの外側面に位置合わせされた状態で各床根太２６（上フランジ２６ｂ）の上面に跨って設置されており、その設置状態で各床根太２６の上面にビス等で固定されている。
【００３０】
天井材２８は、床下地材２７と略同じ大きさ（縦横寸法）を有する短冊状の板材よりなり、例えばパーティクルボード等により構成されている。天井材２８は、その幅方向両端部がそれぞれ床根太２６のウェブ２６ａの外側面に位置合わせされた状態で各床根太２６（下フランジ２６ｃ）の下面に跨って設置されており、その設置状態で各床根太２６の下面にビス等で固定されている。
【００３１】
上記のように構成された各床ユニット２０は、図３に示すように、側根太２４及び端根太２５からなる枠体の内側において、側根太２４と平行となる向きで床ユニット２０（換言すれば床根太２６）の長手方向に対して直交する方向に横並びに配置されている。詳細には、各床ユニット２０は、隣り合う床ユニット２０の隣接する床根太２６（詳細にはウェブ２６ａ）同士が当接する位置関係で配置されている。これにより、各床ユニット２０の床下地材２７により連続した床下地面３５が形成されているとともに、各床ユニット２０の天井材２８により連続した天井面３６（一階部分１１の天井面）が形成されている。また、各床ユニット２０は相対する端根太２５の間に架け渡されており、その状態で各々の床根太２６の長手方向両端部が図示しないブラケットにより端根太２５に連結されている。
【００３２】
図１の説明に戻り、各床ユニット２０の床下地材２７上には、これら各床下地材２７上を跨ぐようにして床仕上げ材３７が敷設されている。
【００３３】
以上、詳述した本実施形態の構成によれば、以下の優れた効果が得られる。
【００３４】
リップ溝２９を向き合わせて配置された一対の床根太２６と、各床根太２６の上面に跨って設けられた床下地材２７とを備える床ユニット２０を、床根太２６と直交する方向に横並びに複数配置することで階間部分１７の床部を構成した。この場合、各床ユニット２０において、一対の床根太２６の横揺れする向きが反対になるため、これら各床根太２６に連結されている床下地材２７を介して各床根太２６の横揺れを相殺させることができる。これにより、床根太２６の横揺れを抑制することができる。
【００３５】
また、床ユニット２０は、各床根太２６の下面に跨って設けられた一階部分１１の天井材２８をさらに備えているため、床下地材２７だけではなく天井材２８を介しても各床根太２６の横揺れを相殺させることができる。これにより、床根太２６の横揺れをさらに抑制する効果が期待できる。さらに、この場合、天井材２８が工場において床ユニット２０に取り付けられるため、施工時における工数削減を図ることができるという利点もある。
【００３６】
隣り合う床ユニット２０の隣接する床根太２６（詳細にはウェブ２６ａ）同士を当接させた状態で各床ユニット２０を配置した。この場合、当接状態にある各床根太２６はそれぞれ対向する床根太２６の側に横揺れするため、結果として各床根太２６の横揺れを相殺させることができる。よって、床根太２６の横揺れをより一層抑制することができる。
【００３７】
〔第２の実施形態〕
本実施形態では、二階部分１２の床部の構成が第１の実施形態と異なっている。そこで、以下に本実施形態における床部の構成を第１の実施形態との相違点を中心に説明する。図４は本実施形態における建物の階間部分１７周辺の構成を示す縦断面図である。図５は（ａ）が床パネルを示す平面図であり、（ｂ）が床根太の並び状態を示す図である。図６は、床パネルの構成を示す縦断面図である。なお、図４では第１の実施形態と同一の構成については同一の符号を付してその説明を省略する。
【００３８】
図４に示すように、本実施形態における建物３０の階間部分１７には、第１の実施形態における複数の床ユニット２０（詳細には側根太２４及び端根太２５を含む）に代えて、床パネル４０が設けられている。床パネル４０は、図５に示すように、床パネル４０の下地枠を構成する床枠組４１と当該床枠組４１上に敷設される床材４２とを備えて構成されている。床枠組４１は一対の側根太４４と一対の端根太４５とを備えており、これらの各根太４４，４５が枠状に連結されることにより床枠組４１の外周枠が形成されている。側根太４４と端根太４５とは共に集成材等の角材よりなる。床枠組４１は、さらに複数の床根太４６を備えている。これら複数の各床根太４６は、相対する端根太４５の間に互いに平行に所定間隔をおいて架け渡されている。
【００３９】
図６に示すように、床根太４６は、Ｃ形鋼（リップ溝形鋼）により形成されており、板面が上下方向に延びるウェブ４６ａと、ウェブ４６ａの上下両端部からそれぞれ側方へ延びる上フランジ４６ｂ及び下フランジ４６ｃと、それら各フランジ４６ｂ，４６ｃの先端部から互いに向き合う側に延びる上リップ４６ｄ及び下リップ４６ｅとを有している。上リップ４６ｄと下リップ４６ｅとの間には、リップ溝４９が形成されている。床根太４６のウェブ４６ａの長さは端根太４５の上下幅と同じであり、上フランジ４６ｂの上面及び下フランジ４６ｃの下面が端根太４５の上面及び下面とそれぞれ面一になっている。
【００４０】
床根太４６の長手方向の両端部は、根太受け４７を介して端根太４５に連結されている。根太受け４７は、金属製の板材よりなり、対向する一対の鉛直板部４７ａと、これら各鉛直板部４７ａの下端部同士を繋ぐ下板部４７ｂと、各鉛直板部４７ａの幅方向端部からそれぞれ互いに離間する側に折り曲げ形成された一対の固定板部４７ｃとを有している。根太受け４７の各固定板部４７ｃは、端根太４５の内側面（対向側面）に対してビス等により固定されている。根太受け４７における各鉛直板部４７ａと下板部４７ｂとにより囲まれた溝部には、床根太４６の長手方向の端部が挿入されている。床根太４６は、この挿入状態においてウェブ４６ａが根太受け４７の一方の鉛直板部４７ａにビス等により固定され、上リップ４６ｄ及び下リップ４６ｅが他方の鉛直板部４７ａに同じくビス等により固定されている。このとき、ウェブ４６ａ側及びリップ４６ｄ，４６ｅ側ではそれぞれ複数箇所でビス固定が行われ、本実施形態ではそれぞれ同じ高さ位置で同数のビス固定がなされている。以上より、床根太４６の長手方向両端部では、根太受け４７の各鉛直板部４７ａに固定されたウェブ４６ａ及び上リップ４６ｄにより上フランジ４６ｂが両持ち支持された状態となっている。
【００４１】
また、本実施形態では、図５（ｂ）に示すように、隣り合う各床根太４６がウェブ４６ａ同士を対向させて、又は、リップ溝４９を向き合わせて配置されている。換言すると、本実施形態では、リップ溝４９を一方（例えば図５（ｂ）における右側）に向けた床根太４６と、リップ溝４９を他方（例えば図５（ｂ）における左側）に向けた床根太４６とが交互に並ぶように設けられている。
【００４２】
上記のように構成された床枠組４１において、各根太４４〜４６の上面は同じ高さに設定されており、これらの上面に床材４２が敷設されている。床材４２は、例えば合板やパーティクルボード等の板材からなる。床材４２は、床枠組４１上面に対してビス等により固定されている。
【００４３】
床パネル４０において、隣り合う床根太４６の対向するウェブ４６ａの間には、転び止め５１が配設されている。本実施形態では、転び止め５１が対向するウェブ４６ａ間において、床根太４６の長手方向における略中央位置に配設されている。図７には、転び止め５１の斜視図を示す。図７に示すように、転び止め５１は、Ｃ形鋼により形成されており、ウェブ５１ａの水平方向の両端部からそれぞれ同じ側（詳しくはフランジとは逆側）に折り曲げ形成された一対の折り曲げ部５１ｂを有してなる。転び止め５１は、床根太４６の上下幅と同じ上下幅で形成されている。転び止め５１は、図６に示すように、隣り合う床根太４６のウェブ４６ａ間において、各折り曲げ部５１ｂをそれぞれ対向するウェブ４６ａに当接させた状態で配設されており、その配設状態で各折り曲げ部５１ｂがそれぞれウェブ４６ａに対しビス等で固定されている。また、この場合、転び止め５１の上面及び下面はそれぞれ床根太４６の上フランジ４６ｂの上面及び下フランジ４６ｃの下面と面一になっている。
【００４４】
図４の説明に戻り、床パネル４０において床枠組４１の外周枠を構成している側根太４４及び端根太４５の下面にはそれぞれ頭つなぎ６９が取り付けられている。頭つなぎ６９は木製角材よりなる長尺状部材であり、各根太４４，４５の長手方向に沿って取り付けられている。床パネル４０は、この頭つなぎ６９が取り付けられた状態において下階外壁パネル１３の上端部に載置されており、詳しくは、下階外壁パネル１３の下階フレーム３３を構成する各フレーム材のうち下階外壁板３１の上端部においてコ字状開口部を下側に向けて設けられている上端フレーム材３３ａの上面に載置されている。そして、頭つなぎ６９は、上端フレーム材３３ａに対して釘等により固定されている。これにより、床パネル４０は、頭つなぎ６９を介して下階外壁パネル１３の上端部に固定されている。また、床パネル４０（詳細には床材４２）上には、その端縁部に上階外壁パネル１４及び内壁材１６が設置され、内壁材１６により囲まれた内側には床仕上げ材６４が敷設されている。
【００４５】
次に、床パネル４０の下方において支持される一階部分１１の天井材の支持構成について説明する。
【００４６】
図６に示すように、複数の各床根太４６のうち所定の床根太４６には、ブラケット５３が取り付けられている。本例では、図６において左側にリップ溝４９を向けている床根太４６にブラケット５３が取り付けられている。ブラケット５３は、全体として略Ｌ字状をなす板金部材であり、床根太４６の長手方向に沿って所定間隔で複数取り付けられている。ブラケット５３は、床根太４６のウェブ４６ａの内側面にビス等により固定される固定板部５３ａと、固定板部５３ａの上端部から床根太４６に対し離間する側へ折り曲げ形成された吊下板部５３ｂとを有している。また、ブラケット５３の吊下板部５３ｂには、同板部５３ｂを上下に貫通する貫通孔（図示略）が形成されている。
【００４７】
各ブラケット５３にはそれぞれ、床根太４６と同方向に延びる長尺状の野縁受け６５を吊り下げ支持するための吊下部材５４が設けられている。吊下部材５４は、上下に延びる吊下ボルト５５と、吊下ボルト５５の下部に設けられた支持部材５６とを備えている。吊下ボルト５５は、ブラケット５３の吊下板部５３ｂの貫通孔に挿通されており、その挿通状態において吊下板部５３ｂに固定されている。具体的には、吊下ボルト５５は、同ボルト５５に螺合された上下一対のナットによりブラケット５３の吊下板部５３ｂを挟み込むことで固定されている。
【００４８】
支持部材５６は、吊下ボルト５５においてブラケット５３（吊下板部５３ｂ）よりも下側に設けられ、吊下ボルト５５が挿通される孔部（図示略）を有する孔板部５６ａと、その孔板部５６ａよりも下方に設けられ、上方に開口された凹溝状の支持部５６ｂとを有している。支持部材５６は、上記孔部に吊下ボルト５５を挿通させた状態で同ボルト５５に固定されている。詳しくは、上記孔部と吊下ボルト５５との間には所定の隙間が設けられており、この隙間に円筒状に形成された防振ゴム５７が介在されている。つまり、支持部材５６は、吊下ボルト５５との間に防振ゴム５７を介在させた状態で吊下ボルト５５に固定されている。
【００４９】
上記構成により床根太４６に沿って設けられた各支持部材５６の支持部５６ｂには、これら各支持部５６ｂを跨ぐようにして野縁受け６５が設けられている。詳しくは、野縁受け６５は、各支持部５６ｂの凹溝に挿し込まれた状態で、各々の支持部５６ｂに対しビス等で固定されている。野縁受け６５の下面には、野縁受け６５と直交する向きで野縁６６がビス等により固定されている。野縁６６の下面には、一階部分１１の天井面を形成する天井材６７がビス等により固定されている。天井材６７は、例えば石膏ボードを二枚重ねして構成されている。
【００５０】
また、図４に示すように、野縁６６の長手方向の両端部は、頭つなぎ６９の内側面に当接されている。そのため、野縁６６は、床根太４６の長手方向と直交する方向の移動が、つまり床根太４６の横揺れ方向の移動が頭つなぎ６９により規制されている。ここで、上述した構成によれば、床根太４６は、吊下部材５４等を介して野縁６６と連結され一体化されているため、床根太４６が横揺れすると、野縁６６もともに横揺れすることが考えられる。しかしながら、野縁６６は頭つなぎ６９により横揺れ方向の移動が規制されているため、この場合野縁６６と一体化されている床根太４６についても横揺れが規制されることが考えられる。つまり、床根太４６の横揺れが抑制されることが考えられる。また、床根太４６は、防振ゴム５７を介して野縁６６と連結されているため、防振ゴム５７による横揺れの吸収効果も期待できる。
【００５１】
以上、詳述した本実施形態の構成によれば、以下の優れた効果が得られる。
【００５２】
床材４２を支持する複数の床根太４６と、相対する一対の端根太４５の間において当該端根太４５の内側面に床根太４６の端部を連結する根太受け４７とを備え、根太受け４７には床根太４６のウェブ４６ａが固定される鉛直板部４７ａと、床根太４６のリップ４６ｄ，４６ｅが固定される鉛直板部４７ａとを備える構成とした。これにより、居住者等が二階部分１２の床上を歩く等して上フランジ４６ｂに下向きの荷重が作用した場合には、その荷重を根太受け４７の各鉛直板部４７ａに固定されたウェブ４６ａ及び上リップ４６ｄにより支持することができる。そのため、床根太４６に上フランジ４６ｂが下方へ沈む側の回転力（モーメント）が発生するのを防止することができ、ひいては床根太４６のウェブ４６ａに横向きの力が作用するのを抑制することができる。よって、床根太４６の横揺れを抑制することができる。
【００５３】
隣り合う床根太４６同士を、リップ溝４９又はウェブ４６ａを向き合わせて配置した。この場合、隣り合う各床根太４６の横揺れする向きが反対となるため、各床根太に連結されている二階部分１２の床材４２等を介して横揺れを相殺させることができる。これにより、各床根太４６の横揺れをさらに抑制する効果が期待できる。
【００５４】
隣り合う床根太４６同士の間には転び止め５１を設けたため、隣り合う各床根太４６がそれぞれ反対側に横揺れした場合には、各床根太４６の横揺れを転び止め５１を介して相殺させることができる。これにより、床根太４６の横揺れをより一層抑制することができる。
【００５５】
また、詳しくは、転び止め５１は隣り合う床根太４６の対向するウェブ４６ａ同士の間に設けられているため、転び止め５１には各床根太４６のウェブ４６ａにより圧縮方向の力が作用する。そのため、リップ溝４９を向き合わせて隣り合う床根太４６の間に転び止め５１が設けられる場合とは異なり、床根太４６と転び止め５１との連結強度に依存することなく床根太４６の横揺れを抑制することができる。
【００５６】
〔他の実施形態〕
本発明は上記実施形態に限らず、例えば次のように実施されてもよい。
【００５７】
（１）上記第１の実施形態では、隣り合う床ユニット２０の隣接する床根太２６同士を当接させた状態で各床ユニット２０を配置したが、これを変更して、隣り合う床ユニットの隣接する床根太２６同士を離間させた状態で各床ユニットを配置してもよい。その具体例として例えば図８に示す構成が考えられる。図８に示す床ユニット７０は、上記第１の実施形態における床下地材２７に代えて、各床根太２６のウェブ２６ａ間距離よりも大きい幅寸法を有して形成された床下地材７１を備えている。床下地材７１は、幅方向両端部がそれぞれ各床根太２６のウェブ２６ａの外側面から突出した状態で各床根太２６の上面に跨って設置されており、その設置状態で各床根太２６の上面にビス等で固定されている。また、床ユニット７０は、上記第１の実施形態における天井材２８に代えて、各床根太２６のウェブ２６ａ間距離よりも大きい幅寸法を有して形成された天井材７２を備えている。天井材７２は、幅方向両端部がそれぞれ各床根太２６のウェブ２６ａの外側面から突出した状態で各床根太２６の下面に跨って設置されており、その設置状態で床根太２６の下面にビス等で固定されている。
【００５８】
上記のように構成された床ユニット７０は、床根太２６の長手方向に対して直交する方向に横並びに複数配置されている。具体的には、隣り合う床ユニット７０の隣接する床根太２６同士を離間させた状態で各床ユニット７０が配置されている。この場合、床部を構成する各床根太２６を床根太２６に対して直交する方向に比較的等間隔で配置することができるため、床根太２６の設置本数を制限しつつ安定した床支持構造を構築することができる。また、本例では、隣り合う床ユニット７０の床下地材７１同士が幅方向の端部において当接されているとともに、隣り合う床ユニット７０の天井材７２同士が幅方向の端部において当接されている。したがって、隣り合う床ユニット７０の隣接する床根太２６同士を離間させたにもかかわらず、各床下地材７１により連続した床仕上げ面７４が形成されているとともに各天井材７２により連続した天井面７５が形成されている。
【００５９】
さらに、ここで、隣り合う床ユニット７０の隣接する床根太２６同士の間に転び止め５１を設けてもよい。上記床根太２６同士は互いのウェブ２６ａを向き合わせて配置されているため、これら各床根太２６の横揺れする向きは反対となる。したがって、この場合、転び止め５１を介して各床根太２６の横揺れを相殺させることができるため、床根太２６の横揺れをより一層抑制することができる。
【００６０】
（２）上記第１の実施形態では、床ユニット２０が天井材２８を備える構成としたが、天井材２８を備えない構成としてもよい。この場合、各床ユニット２０を階間部分１７に設置した後、各床ユニット２０の床根太２６の下面に直接又は天井下地材を介して天井材を取り付ければよい。
【００６１】
（３）上記第１の実施形態では、床ユニット２０を構成する一対の床根太２６を互いのリップ溝２９を向き合わせて配置したが、これを変更し、互いのウェブ２６ａを向き合わせて配置してもよい。この場合においても、各床根太２６の横揺れする向きが反対となるため、床下地材２７及び天井材２８を介して各床根太２６の横揺れを相殺させることができる。よって、床根太２６の横揺れを抑制することができる。
【００６２】
（４）上記第１の実施形態において、床ユニット２０がさらに床仕上げ材を備える構成としてもよい。具体的には、床仕上げ材を床下地材２７と略同じ大きさで形成し、それを床下地材２７上に敷設することで床ユニットを構成することが考えられる。この場合、施工時に床仕上げ材３７を敷設する必要がなくなるため、施工工数の削減を期待できる。
【００６３】
（５）上記第１の実施形態では、建物１０の階間部分１７（二階部分１２）の床部に本発明を適用した場合を説明したが、本発明を一階部分１１の床部に適用することも可能である。
【００６４】
（６）上記第１の実施形態では、床根太２６をＣ形鋼（リップ溝形鋼）により形成したが、軽溝形鋼等その他の溝形鋼により形成してもよい。
【００６５】
（７）上記第２の実施形態では、隣り合う床根太４６のウェブ４６ａ間に、転び止め５１を一つずつ配設したが、これを変更して、複数ずつ配設してもよい。つまり、転び止め５１を床根太４６の長手方向に沿って所定間隔で複数配置してもよい。また、上記実施形態では、転び止め５１を床根太４６の長手方向における略中央位置に配置したが、転び止め５１は床根太４６の長手方向全域のうちいずれの位置に配置してもよい。また、転び止め５１を複数配置する場合には、各転び止め５１の配置間隔（ピッチ）を任意に設定してよい。
【００６６】
（８）上記第２の実施形態では、隣り合う床根太４６における相対するウェブ４６ａの間に転び止め５１を設けたが、これに代えて又は付加して、隣り合う床根太４６における相対するリップ４６ｄ，４６ｅの間に転び止め５１を設けてもよい。また、転び止め５１を設けない構成としてもよい。
【００６７】
（３）上記第２の実施形態における転び止め５１は、上述した構成のものに限定されず、その他の構成のものを採用してもよい。例えば、複数のアングル部材を連結させることで転び止めを構成してもよいし、一対の棒状部材を筋交状に連結して転び止めを構成してもよい。
【００６８】
（９）上記第２の実施形態の構成において、ウェブ４６ａを向き合わせて隣り合う床根太４６同士の離間距離と、リップ溝４９を向き合わせて隣り合う床根太４６同士の離間距離とを異ならせてもよい。
【００６９】
（１０）上記第２の実施形態における根太受け４７は、上述した構成のものに限定されることなく、その他の構成のもでもよい。例えば、床根太４６のウェブ４６ａの外側面と端根太４５の内側面とに当接されるＬ字状の第一部材と、床根太４６のリップ４６ｄ，４６ｅの外側面と端根太４５の内側面とに当接されるＬ字状の第二部材とから根太受けを構成してもよい。この場合、根太受けの各部材をそれぞれ端根太４５に対しビス等で固定するとともに、床根太４６のウェブ４６ａを第一部材にビス等で固定し、各リップ４６ｄ，４６ｅを第二部材にビス等で固定することで、床根太４６を端根太４５に連結することができる。そして、このとき、床根太４６の上フランジ４６ｂに下向きの荷重が作用しても、その荷重を根太受けの第一部材及び第二部材に固定されたウェブ４６ａ及び上リップ４６ｄにより支持することができるため、床根太４６に上フランジ４６ｂが下方へ沈む側の回転力（モーメント）が発生するのを防止することができ、その結果床根太４６の横揺れを抑制することができる。
【００７０】
また、根太受けを転び止めと兼用する構成としてもよい。具体的には、例えば転び止めを隣り合う床根太４６間において端根太４５に沿って配置するとともに、その配置した転び止めの両端部をそれぞれ各床根太４６のウェブ４６ａ（又はリップ４６ｄ，４６ｅ）に連結する構成とすることが考えられる。
【００７１】
（１１）上記各実施形態では、スチールハウスの建物への適用例を説明したが、鉄骨軸組工法により構築される建物や、在来木造工法により構築される建物等、他の構造の建物にも本発明を適用することができる。
【符号の説明】
【００７２】
１０…建物、１１…下階部としての一階部分、１２…上階部としての二階部分、２０…床ユニット、２６…床根太、２７…床材としての床下地材、２８…天井材、２９…溝開口としてのリップ溝、４０…床パネル、４２…床材、４５…横架材としての端根太、４６…床根太、４７…根太受け金物としての根太受け、４７ａ…ウェブ固定部及びリップ固定部としての鉛直板部、４９…溝開口としてのリップ溝、５１…転び止め。
【図１】
2011047192.tif 000003
【図２】
2011047192.tif 000004
【図３】
2011047192.tif 000005
【図４】
2011047192.tif 000006
【図５】
2011047192.tif 000007
【図６】
2011047192.tif 000008
【図７】
2011047192.tif 000009
【図８】
2011047192.tif 000010
【図９】
2011047192.tif 000011